(57)【要約】  Source eNB配下にいたUEが、Target eNB配下にハンドオーバする場合、Source eNBは、Target eNB との間にX2インタフェースが確立しているか否かを判断する。Source eNBとTarget eNBとの間にX2インタフェースが確立していない場合、Source eNBは、アドレス管理ノードにTarget eNBのIPアドレスを問い合わせる。アドレス管理ノードからTarget eNBのIPアドレスを取得したSource eNBは、このIPアドレスを使って、Target eNBにアクセスし、X2インタフェースを確立する。X2インタフェースを確立後、Source eNBは、Target eNBへのUEのハンドオーバを実施する。
2009066337.tif 000002
【特許請求の範囲】
【請求項１】
移動局と複数の無線基地局装置を備えた通信システムであって、
第１の無線基地局装置配下の移動局が第２の無線基地局装置配下にハンドオーバする時を契機として、該第１の無線基地局装置から、該第２の無線基地局装置のネットワークアドレスの問い合わせを受け付ける問い合わせ受け付け手段と、
該第１の無線基地局装置のネットワークアドレスと、ハンドオーバ先の候補となる該第２の無線基地局装置のネットワークアドレスとを対応付けて格納するデータベース手段と、
該問い合わせにしたがって、該データベース手段から該第２の無線基地局装置のネットワークアドレスを取得し、該第１の無線基地局装置へ送信する送信手段とを備え、
該第１の無線基地局装置が該第２の無線基地局装置との間のインタフェースを確立することを特徴とする通信システム。
【請求項２】
前記問い合わせには、前記第２の無線基地局装置の識別子が含まれることを特徴とする請求項１に記載の通信システム。
【請求項３】
前記問い合わせには、前記第２の無線基地局装置が所属するネットワークの識別子が含まれることを特徴とする請求項１に記載の通信システム。
【請求項４】
前記問い合わせには、前記第１の無線基地局装置のネットワークアドレスが含まれることを特徴とする請求項１に記載の通信システム。
【請求項５】
前記データベース手段は、前記第１の無線基地局装置のネットワークアドレスごとに、ハンドオーバ先の候補となる前記第２の無線基地局装置の識別子とネットワークアドレスを対応付けたテーブルを格納しており、異なるテーブル間では、該第２の無線基地局装置の識別子の重複を許した構成となっていることを特徴とする請求項２に記載の通信システム。
【請求項６】
前記第１の無線基地局装置が所属するネットワークと、前記第２の無線基地局装置が所属するネットワークが異なる場合、該第２の無線基地局装置が所属する通信システムに、該第２の無線基地局装置のネットワークアドレスの送信を依頼することを特徴とする請求項１に記載の通信システム。
【請求項７】
請求項１の通信システムの機能は、独立したネットワークノードとして構成されることを特徴とする通信システム。
【請求項８】
請求項１の通信システムの機能は、無線基地局装置に搭載されることを特徴とする通信システム。
【請求項９】
請求項１の通信システムの機能は、無線基地局制御装置に搭載されることを特徴とする通信システム。
【請求項１０】
請求項１の通信システムが、前記第２の無線基地局装置のネットワークアドレスを取得できない場合には、前記第１の無線基地局装置と該第２の無線基地局装置は、基地局制御装置を介して通信を行なうことを特徴とする通信システム。
【請求項１１】
前記問い合わせは、前記第１の無線基地局装置と前記第２の無線基地局装置との間のインタフェースが確立していない場合に行なわれることを特徴とする請求項１に記載の通信システム。
【請求項１２】
移動局と無線で通信する複数の無線基地局装置と、第１の無線基地局装置のネットワークアドレスと、ハンドオーバ先の候補となる第２の無線基地局装置のネットワークアドレスとを対応付けて格納するデータベース手段とを備えた通信システムにおける制御方法であって、
該第１の無線基地局装置配下の移動局が該第２の無線基地局装置配下にハンドオーバする時を契機として、該第１の無線基地局装置から、該第２の無線基地局装置のネットワークアドレスの問い合わせを受け付け、
該問い合わせにしたがって、該データベース手段から該第２の無線基地局装置のネットワークアドレスを取得し、該第１の無線基地局装置へ送信し、
該第１の無線基地局装置が該第２の無線基地局装置との間のインタフェースを確立する、
ことを特徴とする制御方法。
【請求項１３】
前記第２の無線基地局装置のネットワークアドレスが取得できない場合には、無線基地局制御装置を介して、前記第１の無線基地局と該第２の無線基地局との通信を行なうことを特徴とする請求項１２に記載の制御方法。
【請求項１４】
前記問い合わせは、前記第１の無線基地局装置と前記第２の無線基地局装置との間のインタフェースが確立していない場合に行なわれることを特徴とする請求項１２に記載の制御方法。
【請求項１５】
前記第２の無線基地局が、前記通信システムの所属するネットワークと異なるネットワークに所属する場合、該異なるネットワークに所属する別の通信システムに問い合わせを行なうことを特徴とする請求項１２に記載の制御方法。
【発明の詳細な説明】
【技術分野】
【０００１】
本発明は、無線通信を行なう基地局装置間及び基地局装置と基地局制御装置間の通信システムに関する。
【背景技術】
【０００２】
例えば、LTE(Long Term Evolution)に代表される次世代無線移動通信システムにおいて、該無線移動通信システムを構築する装置である無線基地局装置（以下eNB）は、上位装置であるMME/SAE-GW装置（無線基地局制御装置）及び無線基地局装置間を、IP伝送路を用いて接続する。【０００３】
上述のインタフェースは、それぞれeNB間をX2 Interface, eNB-MME/SAE-GW間をS1  Interfaceと呼称している。また、その他の装置間を形成するインタフェースに関しても標準化上議論されている。（3GPP TR 23.882 3GPP System Architecture Evolution : Report on Technical Options and Conclusions 等を参照のこと）【０００４】
このようなシステムにおいて、移動通信システムを構成する各装置間インタフェースの確立は、システム起動時に任意に設定可能であることが一般的だが、その設定方法は半固定的設定であり、システム稼働中の可変は難しい構成となっている。このため、システムに在圏する移動局装置（UE）が、エリア移動に伴うハンドオーバを行う場合、そのハンドオーバがMMW/SAE-GW配下のeNB間でハンドオーバを行う場合や、MME/SAE-GW間に跨るシステムエリア（サービスエリア）間のハンドオーバの場合には、ハンドオーバを許容する側のシステムにおいては、該当ハンドオーバ回線は事前に用意（準備）されている必要がある。ハンドオーバ用の回線が準備されていることが前提条件で、ハンドオーバ元無線基地局装置（以下Source eNB）はMME/SAE-GWから受信した移動局向けのダウンリンク（DL）データをある送信単位ごとに（ex, RLC-SDU単位）、ハンドオーバ先無線基地局装置（以下Target eNB）へ転送するなどのハンドオーバに必要な動作を実施することが可能となり、Target eNBはハンドオーバ処理を通じて受信したデータを移動局装置（以下UE）へ転送することが可能となる。つまり、移動局が要求してくるハンドオーバに関して、ハンドオーバ先基地局装置との回線が未起動の場合には、上記に示す様なハンドオーバ処理はできないことになってしまう。【０００５】
図１にeUTRAの概略構成図、図２にハンドオーバ時のユーザデータの伝送経路図、図３にH.O.時の装置間シーケンス図を示す。
MME/SAEゲートウェイ１０−１の配下に、eNB１１−１と１１−２があり、MME/SAEゲートウェイ１０−２の配下に、eNB１１−２と１１−３がある。MME/SAEゲートウェイ１０−１、１０−２とeNB１１−１〜１１−３の間は、S1インタフェースで接続されている。eNB１１−１〜１１−３の間は、X2インタフェースによって接続されている。eNB１１−１〜１１−３間のネットワークは、E-UTRANとなっている。【０００６】
図２は、ハンドオーバ時のユーザデータの伝送経路を説明する図である。最初、移動局１３は、Source eNB１１−１の配下にいたとする。上位ネットワークから伝送されてきたユーザデータは、MME/SAEゲートウェイ１０において、Source eNB１１−１の側に転送され、Source eNB１１−１から移動局１３に無線でユーザデータが送られてくる。次に、移動局１３がSource eNB１１−１から、ハンドオーバして、Target eNB１１−２の配下になったとする。すると、Source eNB１１−１は、ユーザデータをTarget eNB１１−２に転送する。Target eNB１１−２は、受け取ったユーザデータを移動局１３に送信する。なお、MME/SAEゲートウェイ１０と、Source eNB１１−１、Target eNB１１−２との間のインタフェースは、S1インタフェースである。また、Source eNB１１−１とTarget eNB１１−２との間は、X2インタフェースである。【０００７】
図３は、ハンドオーバ時のシーケンス図である。
最初、MME/SAEゲートウェイから移動局UEに、Source eNBを介して、ユーザデータが送られる。ハンドオーバ（H.O.）が開始されると、ユーザデータは、Source eNBからTarget eNBに転送されてから、移動局UEに送られる。ハンドオーバ処理が終わると、移動局UEは、Target eNB配下となったとので、ユーザデータは、MME/SAEゲートウェイからTarget eNBを介して、移動局UEに送られる。【０００８】
また、eNB間において、Source eNBがTarget eNBのIP アドレスを未保持の場合、つまりX2 Interfaceが確立されていない時にH.O.（ハンドオーバ）要求が来るとSource eNB - Target eNB間は、MME/SAE-GW経由のハンドオーバになるとされている(ex, R3-070695)。【０００９】
図４にX2 Interface未確立時のユーザデータ転送シーケンスを示す。
最初、MME/SAEゲートウェイからSource eNBを介して、移動局UEにユーザデータが送られる。ハンドオーバが始まると、MME/SAEゲートウェイからのユーザデータは、Source eNBからTarget eNBに転送されるが、Source eNBとTarget eNBとの間のX2インタフェースが未確立であるため、ユーザデータは、Source eNBからMME/SAEゲートウェイに送られ、MME/SAEゲートウェイを介して、Target eNBに送られる。Target eNBに送られたユーザデータは、移動局UEに送られる。ハンドオーバ処理が終了すると、ユーザデータは、MME/SAEゲートウェイから、Target eNBを経由して、移動局UEに送られる。【００１０】
上述したように、移動局のエリア移動に伴うハンドオーバ動作にて、H.O.処理には、eNB間でユーザデータの転送をおこなうことも含まれている。この一連の動作により、UEが連続したユーザデータを受信可能（ロスレスハンドオーバ）にすることをハンドオーバ処理の目的の一つとしている。しかし、図３に示す様に、装置間インタフェース未起動時に、必要回線を起動するためには、例えばIPアドレスのような、移動先装置の装置情報を移動元装置が認識する必要がある。従って各装置は、ハンドオーバを意識した回線接続を構成する各装置個別情報（IPアドレス等）を保持する必要が発生する。（もしくは、システム起動時に全ての構成装置の装置情報を各装置に初期登録しておく必要があり拡張性が小さい）。しかし実際には、保持する情報（IPアドレスなど）は装置毎で異なることや、全装置間の回線設定を必要としないため、システムを構成する各装置で個々環境に応じた設定・調整が必要となり、オペレータに多大な労力が必要となる（例えばハンドオーバエリアの設計/隣接エリアの設計など）。またシステムの拡張（装置の追加設置、運用形態変更）への柔軟な対応がし難い状況になってしまう。【００１１】
特許文献１は、網接続装置を介してインターネット網に接続された該無線基地局において、位置情報管理センタに対し、呼接続すべき前記移動電話機が位置する該無線基地局に接続された網接続装置のＩＰアドレスを問い合わせ、該ＩＰアドレスを有する網接続装置との間で通話回線を接続するように構成されていることを特徴とする移動電話システムについて述べたものである。
【特許文献１】特開平11-150753号公報
【非特許文献１】3GPP TR25.912、［ｏｎｌｉｎｅ］、［平成19年5月1日検索］、インターネット＜ＵＲＬ：http://www.3gpp.org/ftp/Specs/html-info/25-series.htm ＞
【非特許文献２】3GPP TR25.331、［ｏｎｌｉｎｅ］、［平成19年5月29日検索］、インターネット＜ＵＲＬ：http://www.3gpp.org/ftp/Specs/html-info/25-series.htm ＞
【非特許文献３】3GPP TR23.882、［ｏｎｌｉｎｅ］、［平成19年5月29日検索］、インターネット＜ＵＲＬ：http://www.3gpp.org/ftp/Specs/html-info/23-series.htm ＞
【非特許文献４】3GPP R3-070695、［ｏｎｌｉｎｅ］、［平成19年5月29日検索］、インターネット＜ＵＲＬ：http://www.3gpp.org/ftp/tsg_ran/WG3_Iu/TSGR3_55bis/docs/ ＞
【発明の開示】
【００１２】
本発明の課題は、管理が比較的簡単で、拡張性に富む、インタフェースが確立していない装置間での通信を可能にする通信システムを提供することである。
本発明の一側面における通信システムは、移動局と無線で通信する複数の無線基地局装置を備えた通信システムであって、第１の無線基地局装置配下の移動局が第２の無線基地局装置配下にハンドオーバする時を契機として、該第１の無線基地局装置から、該第２の無線基地局装置のネットワークアドレスの問い合わせを受け付ける問い合わせ受け付け手段と、該第１の無線基地局装置のネットワークアドレスと、ハンドオーバ先の候補となる該第２の無線基地局装置のネットワークアドレスとを対応付けて格納するデータベース手段と、該問い合わせにしたがって、該データベース手段から該第２の無線基地局装置のネットワークアドレスを取得し、該第１の無線基地局装置へ送信する送信手段とを備え、該第１の無線基地局装置が該第２の無線基地局装置との間のインタフェースを確立する。
【図面の簡単な説明】
【００１３】
【図１】eUTRAの概略構成図である。
【図２】ハンドオーバ時のユーザデータの伝送経路図である。
【図３】ハンドオーバ時の装置間シーケンス図である。
【図４】X2 Interface未確立時のユーザデータ転送シーケンスである。
【図５】本発明の実施形態に従った処理のシーケンスである。
【図６】本発明の実施形態に従った無線基地局装置の装置構成図である。
【図７】本発明の実施形態に従ったアドレス管理機能を持ったネットワーク構成を示す図である。
【図８】MME/SAE-GWにアドレス管理機能部を持たせた場合の構成図である。
【図９】本実施形態を用いたMME/SAE-GW内、eNB間ハンドオーバのシーケンス図である。
【図１０】Cell-IDについて説明する図（その１）である。
【図１１】Cell-IDについて説明する図（その２）である。
【図１２】アドレス管理機能が有するアドレステーブル例の一例を示す図である。
【図１３】アドレス管理ノードのIP絞込み方法を説明する図（その１）である。
【図１４】アドレス管理ノードのIP絞込み方法を説明する図（その２）である。
【図１５】アドレス管理ノードのIP絞込み方法を説明する図（その３）である。
【図１６】アドレス管理ノードのIP絞込み方法を説明する図（その４）である。
【図１７】アドレス管理機能へのアドレス問い合わせシーケンスを示す図である。
【図１８】他ネットワークのアドレス管理ノードへの問い合わせシーケンスを示す図である。
【図１９】WiMAXネットワークと3GPPネットワーク（LTEネットワーク）を跨ぐインタフェース確立のシーケンスを示す図である。
【図２０】アドレス解決応答がNGだった場合のシーケンスを示す図である。
【図２１】Source eNBのアドレス解決までのフローを示す図である。
【図２２】ネットワーク識別用のネットワークIDが含まれる場合のアドレス解決までのフローを示す図である。
【発明を実施するための最良の形態】
【００１４】
本発明の実施形態では、システムを構成する各装置が必要とする Interfaceを自律で確立することができることを特徴としている。例えば、eNB間にX2 Interface がない場合、UEからMeasurement ReportによりTarget eNB情報を取得したSource eNBは、ネットワーク上にあるアドレス管理Nodeにアクセスし、Target eNBのIP アドレスを取得することでX2 Interfaceを確立し、eNB間でのハンドーバ処理を可能にするものである。【００１５】
図５に、本発明の実施形態に従った処理のシーケンスを示す。
本実施形態では、ネットワークの各ノードのIPアドレスを管理するアドレス管理ノードを設ける。アドレス管理ノードの機能は、独立のサーバとして設けても良いし、Source eNBや、Target eNB、MME/SAEゲートウェイ内に設けても良いが、以下の説明においては、独立したサーバとして設けられているとする。【００１６】
MME/SAEゲートウェイからSource eNBを介して、ユーザデータが移動局UEに送られていた時に、ハンドオーバ処理が始まる。ハンドオーバ処理が始まると、Source eNBは、ユーザデータをTarget eNBに送る必要があるが、X2インタフェースが確立しておらず、Target eNBのIPアドレスがわからないので、転送できない。そこで、Source eNBは、アドレス管理ノードにTarget eNBのIPアドレスを問い合わせ、これを取得する。Source eNBがIPアドレスを取得することにより、Source eNBとTarget eNBとの間にX2インタフェースを確立する。そして、Source eNBは、ユーザデータをTarget eNBに転送し、以下、ハンドオーバ処理を実行する。【００１７】
各ネットワーク装置は移動局のハンドオーバ実行時に、対象移動先装置との回線が未確立の場合、アドレス管理NodeへTarget 装置の装置情報（IPアドレス等）を問い合わせることにより、必要 Interfaceを確立し、回線起動後に該Interfaceを経由してハンドオーバ処置をすることが可能になる。【００１８】
各装置の装置情報管理を一つのNodeに集約させることにより、各装置でそれぞれ情報管理するよりもネットワーク構築の負担は軽減され、システム拡張時にも個別情報管理ノードの情報をアップデートするだけで、移動局からのハンドオーバ毎に回線起動させることができ、オペレータの過剰なシステム設計（置局設計）を軽減させることが可能となる。【００１９】
図６は、本発明の実施形態に従った無線基地局装置の装置構成図である。
Target eNBの装置情報（IPアドレス等）取得処理は、CPU２７で行う。マストヘッド増幅器２０−１〜２０−３は、送受信信号の増幅を行なう。送信電力増幅器２１は、送信信号の増幅を行なう。ＴＲＸ２２−１〜２２−３は、送受信部である。ＢＢ２３−１〜２３−３は、ベースバンドユニットである。ベースバンドユニット２３−１〜２３−３のうちのいずれとデータを授受するかは、スイッチ２４によって切り替えられる。データベース２８は、無線基地局装置として保持しておくべきデータを格納する。コモンメモリ２６は、作業メモリである。CPU２７は、無線基地局装置として実行すべき様々な処理を行なう。ハイウェイインタフェース２５は、他のネットワーク装置との接続インタフェースである。【００２０】
図７は、本発明の実施形態に従ったアドレス管理機能を持ったネットワーク構成を示す図である。
移動局１３がSource eNB１１−１配下からTarget eNB１１−２配下にハンドオーバする場合、Source eNB１１−１は、アドレス管理部１４にTarget eNB１１−２のIPアドレスを問い合わせ、取得する。取得したIPアドレスにしたがって、Source eNB１１−１とTarget eNB１１−２との間にX2インタフェースを確立し、ユーザデータを転送する。
このアドレス管理を行う機能は、独立したノードとして存在させるだけでなく、MME/SAE-GWや他eNB、その他システム構成装置に機能部として持たせることも可能である。【００２１】
図８は、MME/SAE-GWにアドレス管理機能部を持たせた場合の構成図である。
移動局１３がSource eNB１１−１配下からTarget eNB１１−２配下にハンドオーバする場合、Source eNB１１−１は、MME/SAEゲートウェイ１０ａに搭載されるアドレス管理部１４にTarget eNB１１−２のIPアドレスを問い合わせ、取得する。取得したIPアドレスにしたがって、Source eNB１１−１とTarget eNB１１−２との間にX2インタフェースを確立し、ユーザデータを転送する。【００２２】
図９は、本実施形態を用いたMME/SAE-GW内、eNB間ハンドオーバのシーケンス図である。
ハンドオーバシーケンス中の（１）〜（８）について説明する。
（１）H.O.前の状態。MME/SAE-GWから送られたPacket Dataは、Source eNBを経由し、UEへ送信される。
（２）UEは、近隣のeNBから取得した情報を集約し、Source eNB へMeasurement Reportを送信する。Measurement Reportは、3GPP TS 25.331に規定されているUEから無線基地局への報告であり、移動局が感知した電波の強度状態等の情報が記載され、この情報に基づいて、ハンドオーバを行なうか否かを決定するなどに用いられる。【００２３】
このとき、Target eNBを含む各eNBは、自eNBを特定できる個別識別IDをUEへ送信する。本実施形態では、Cell-IDの領域を使用することとし、新たにパラメータを追加するためにデータ領域を増やすことはしない。【００２４】
UEからMeasurement Report を受信したSource eNBは、上記情報を含む報告内容からH.O.に必要な情報を取得する。
（３）Source eNBは、UEのH.O.先であるTarget eNBとX2 Interfaceが確立されているか判定する。確立されていなかった場合、Target eNB の装置情報であるIP アドレスを取得するために、アドレス管理ノードへアドレス解決要求を送信する。【００２５】
この要求には、先にUEから取得したTarget eNBの個別識別IDであるNode IDが格納されている。オプションとして、ネットワークIDが付与されている場合もある。この要求を受信したアドレス管理ノードは、この情報を元にTarget eNBのIP アドレスを解決する。【００２６】
アドレス管理ノードは、Node IDと各eNBの装置情報を対応させたデータベースを保持しており、受信したNode IDをキーとして、eNBの装置情報を検索する機能を持つ。また、アドレス管理ノードは、アドレス解決を要求してきたSource eNBの装置情報（IPアドレス等）から、検索対象をUEがH.O.する可能性のあるeNBのみに絞り込むことを可能とする。【００２７】
本発明を適用したLTEシステムにおいては、装置情報をIPアドレスとし、アドレス管理ノードはNode IDと各eNBのIPアドレスを対応させたデータベースを保持する。また、アドレス解決要求に含まれるSource eNBのIPアドレスで絞込みを行うことで、Node IDは重複可能になり、データ量を少なく抑えることを可能とする。
また、アドレス管理Nodeへの問い合わせを行った結果、回答NGだった場合、Source eNB - Target eNB間でX2 Interfaceを確立することはせず、MME/SAE-GW経由でUser dataを転送する。【００２８】
Source eNBは、アドレス管理Nodeからアドレス解決応答を受信し、Target eNBのIP アドレスを取得する。これによりSource eNB-Target eNB間にはハンドオーバ用回線であるX2 Interfaceが確立されたことになる。
（４）Source eNBは、Target eNBに対しH.O. Requestを送信し、Target eNBからH.O. Responseを受信することでUEがH.O.に必要な情報を取得する。Source eNBはUEへH.O. Commandを送信することで、Target eNBへ接続するための必要情報を通知する。
（５）MME/SAE-GWからUE向けに送られるPacket DataはSource eNBへ送信される。このとき、Source eNBは（３）で確立したX2 Interfaceを利用し、Source eNBからTarget eNBへ向けて、MME/SAE-GWから受信したPacket Dataを転送する。
（６）UEは、Target eNBへH.O.を実施し、処理が完了した後、Target eNBへH.O.Completeを送信する。H.O.Completeを受信したTarget eNBは、MME/SAE-GWへ向けH.O.Completeを送信する。【００２９】
H.O.Completeを受信したMME/SAE-GWはPacket Dataの送信先を、Source eNBからTarget eNBへ切り替え、H.O.Complete ACKをTarget eNBへ送信する。
（７）H.O.Complete ACKを受信したTarget eNBは、Release ResourceをSource eNBへ送信し、Source eNB内のTarget eNB向けPacket Data格納バッファを解放する。
（８）H.O.完了後の状態。MME/SAE-GWから送られたPacket Dataは、Source eNBを経由し、UEへ送信される。【００３０】
図１０及び図１１は、Cell-IDについて説明する図である。
現在Cell-IDに規定される値は8bitで表現することができる。ただし、実際に使用される範囲はごく狭いものであり、Cell-IDを規定されるbit数以下の値で表現することが可能である。図１０は、Cell-ID領域の使用例を示す図である。ただしbit数は一例である。【００３１】
またオプションとしてネットワーク識別用のID “ネットワークID”を付与することを可能とする。図１１は、ネットワークIDを適用した場合のCell-ID領域を示す図である。
本実施形態ではLTEで考案されている従来Cell-IDに割り当てられている領域を、個別識別IDであるネットワークID、Node ID、Cell-IDに分割して使用する。以下にネットワークID、Node IDの説明を記載する。
・ネットワークID:
次世代無線通信ネットワークにおけるそのネットワークを識別するIDである。アドレス管理ノードはこのIDを用いて、アドレス管理ノードで問い合わせが可能かどうかを判定する。【００３２】
また、次世代無線通信ネットワークでは、WLANやNon 3GPPネットワーク間とのH.O.も想定されているため、このIDを使用することで、H.O.が、LTE内で行われるH.O.なのか、他ネットワーク所属NodeとのH.O.なのかも識別可能とする。【００３３】
図１２は、アドレス管理機能が有するアドレステーブルの一例を示す図である。
アドレス管理機能には、各Source eNBのIPアドレスについて、ハンドオーバする可能性のあるeNBのIPアドレスが登録される。装置情報として登録されるeNBのIPアドレスは、Node IDと対応付けられて登録される。Source eNBから受信されるアドレス解決要求は、パラメータとして、Source eNBのIPアドレス、ネットワークID、Node IDを有しており、図１２のようなテーブルを索引することにより、ハンドオーバする先の装置のIPアドレスをアドレス解決応答として、アドレス解決要求元に返送する。【００３４】
図１３〜図１６は、アドレス管理ノードのIP絞込み方法を説明する図である。
図１３は、A,B,C,DそれぞれのeNBに対し、アドレス管理ノードが接続された図である。図１４は、図１３におけるアドレス管理ノードが接続された時にアドレス管理ノード内にある、「H.O.可能性のあるeNBの一覧」を示す図である。【００３５】
図１４によれば、Node： Aに対向する接続先NodeはB,Dであり、それぞれNode IDを付与され、装置情報と関連付けて管理されている。
図１３のネットワークに新規にNode：Eを配置し、図１５のような構成になった場合、アドレス管理ノード内にある、「H.O.可能性のあるeNBの一覧」は、図１６のように更新する必要がある。【００３６】
ネットワークに追加されたNode：Eは、Node：A〜Dのそれぞれのテーブルに、接続先Nodeとして認識されることになる。
以上の更新は、ネットワーク管理者がアドレス管理ノードのテーブルを手動で更新することによって行なう。【００３７】
図１７は、アドレス管理機能へのアドレス問い合わせシーケンスを示す図である。
Source eNBは、アドレス管理機能（ノード）にアドレス解決要求を送信し、アドレス管理機能からアドレス解決応答を受け取る。これにより、Source eNBは、Target eNBのIPアドレスがわかるので、X2インタフェースを確立する。【００３８】
Cell-ID割り当て領域にオプションであるネットワークIDを付与した場合、アドレス管理ノード内でIPアドレス検索を実施する際、自データベース内に該当するNode IDとIPアドレスの組み合わせが無い場合には、他アドレス管理ノードへの問い合わせを可能とする。【００３９】
図１８は、他ネットワークのアドレス管理ノードへの問い合わせシーケンスを示す図である。
図１８では、異なるネットワークＡとＢの間を、便宜的にルータで接続しているとする。Source eNBは、自ネットワーク（ネットワークＡ）のアドレス管理機能へ、アドレス解決要求を出す。アドレス管理機能は、ネットワークIDを判定し、ネットワークＢへ問い合わせが必要と判断する。すると、ネットワークＡのアドレス管理機能は、ネットワークＢのアドレス管理機能へアドレス解決要求を出す。ネットワークＢのアドレス管理機能がアドレス解決応答をネットワークＡのアドレス解決機能へ返すと、これをネットワークＡのアドレス管理機能は、Source eNBへ転送する。Source eNBは、これにより、ネットワークＢにある、Target eNBの装置情報（IPアドレス等）を取得し、Source eNBとTarget eNBとの間でX2インタフェースを確立する。【００４０】
この方法を用いれば、Node間をつなぐプロトコル確立シーケンスも同様に確立できる。
また、これまでは3GPPに即した無線通信システムをベースに検討してきたが、WiMAXなどの他無線通信システムでも適用可能である。【００４１】
図１９は、WiMAXネットワークと3GPPネットワーク（LTEネットワーク）を跨ぐインタフェース確立のシーケンスを示す図である。
ここで、  ASN-GWは無線網におけるAAA(roaming manager)、Mobility(Handoff Manager)機能Mobile IP Foreign Agent機能を具備する装置であり、BS（Base Station）はWiMAXネットワークにおける無線基地局装置である。【００４２】
このとき、LTEネットワーク内に配置されたアドレス管理機能は、WiMAXネットワーク内に配置されたアドレス管理機能とネットワークを跨いで通信することを可能とすることで、Source eNBとBS間でInterfaceを確立する。【００４３】
LTEネットワークとWiMAXネットワークそれぞれにあるアドレス管理機能は、アドレス管理機能間で接続シーケンスを実行させるが、このときASN-GWを経由する際に影響を与えることはなく、既存のASN-GW装置構成のままアドレス解決を可能とする。【００４４】
Source eNBは、自ネットワーク（LTEネットワーク）のアドレス管理機能へ、アドレス解決要求を出す。アドレス管理機能は、ネットワークIDを判定し、WiMAXネットワークへ問い合わせが必要と判断する。すると、LTEネットワークのアドレス管理機能は、WiMAXネットワークのアドレス管理機能へアドレス解決要求を出す。WiMAXネットワークのアドレス管理機能がアドレス解決応答をLTEネットワークのアドレス解決機能へ返すと、これをLTEネットワークのアドレス管理機能は、Source eNBへ転送する。Source eNBは、これにより、WiMAXネットワークにある、BSの装置情報（IPアドレス等）を取得し、Source eNBとBSとの間でインタフェースを確立する。【００４５】
図２０は、アドレス解決応答がNGだった場合のシーケンスを示す図である。
Source eNBは、アドレス管理機能にアドレス解決要求を送信するが、アドレス管理機能では、アドレス解決がNGとなるため、Source eNBは、NGとなったアドレス解決応答を受ける。これにより、Source eNBは、Target eNBとのX2インタフェースを確立できず、ユーザデータを送信できない。したがって、Source eNBは、MME/SAEゲートウェイ（aGW）を介して、Target eNBにユーザデータを送信する。【００４６】
図２１は、Source eNBのアドレス解決までのフローを示す図である。
ステップＳ１０において、Source eNBが、Measurement reportを受信する。ステップＳ１１において、Source eNBとTarget eNBとの間にX2インタフェースが確立されているか否かを判断する。ステップＳ１１の判断がＹｅｓの場合には、ハンドオーバ処理を実施する。ステップＳ１１の判断がＮｏの場合には、ステップＳ１２において、アドレス管理ノードへ、アドレス解決を要求する。ステップＳ１３において、アドレス管理ノードからIPアドレスを取得できるか否かを判断する。ステップＳ１３の判断がＮｏの場合には、MME/SAEゲートウェイ経由で、ユーザデータを送信する方法でハンドオーバを実施する。ステップＳ１３の判断がＹｅｓの場合には、ステップＳ１４において、自データベースからTarget eNBのIPアドレスを取得し、Target eNB経由でユーザデータを送る方法でハンドオーバを実施する。【００４７】
図２２は、ネットワーク識別用のネットワークIDが含まれる場合のアドレス解決までのフローを示す図である。
ステップＳ２０において、Source eNBがMeasurement reportを受信する。ステップＳ２１において、Source eNBとTarget eNBとの間にX2インタフェースが確立されているか否かを判断する。ステップＳ２１の判断がＹｅｓの場合、ハンドオーバ処理を実施する。ステップＳ２１の判断がＮｏの場合には、ステップＳ２２において、アドレス管理ノードへ問い合わせを行なう。ステップＳ２３において、アドレス管理ノードから受信したアドレス解決応答に設定されたネットワークIDは自ネットワークのものか否かを判断する。ステップＳ２３の判断がＹｅｓの場合、ステップＳ２４において、Node IDからIPアドレスが取得できるか否かを判断する。ステップＳ２４の判断がＮｏの場合には、MME/SAEゲートウェイ経由のハンドオーバ処理を実施する。ステップＳ２４の判断がＹｅｓの場合には、ステップＳ２５において、アドレス管理ノードのテーブルからTarget eNBのIPアドレスを取得し、Source eNBとTarget eNBとの間でノード間インタフェースを確立する。ステップＳ２３の判断がＮｏの場合、ステップＳ２６において、他ネットワークのアドレス管理ノードへ問い合わせを行なう。ステップＳ２７において、アドレス解決応答を受信する。ステップＳ２８において、アドレス解決が出来ているか否かを判断する。ステップＳ２８の判断がＹｅｓの場合には、Source eNBとTarget eNBとの間でノード間インタフェースを確立する。ステップＳ２８の判断がＮｏの場合には、MME/SAEゲートウェイ経由でハンドオーバ処理を開始する。【００４８】
以上の実施形態によれば、アドレス管理ノードへTarget eNBのIPアドレスを問い合わせることでX2 Interfaceを確立することが可能となり、X2 Interfaceを経由してユーザデータを転送することが可能になる。
【図１】
2009066337.tif 000003
【図２】
2009066337.tif 000004
【図３】
2009066337.tif 000005
【図４】
2009066337.tif 000006
【図５】
2009066337.tif 000007
【図６】
2009066337.tif 000008
【図７】
2009066337.tif 000009
【図８】
2009066337.tif 000010
【図９】
2009066337.tif 000011
【図１０】
2009066337.tif 000012
【図１１】
2009066337.tif 000013
【図１２】
2009066337.tif 000014
【図１３】
2009066337.tif 000015
【図１４】
2009066337.tif 000016
【図１５】
2009066337.tif 000017
【図１６】
2009066337.tif 000018
【図１７】
2009066337.tif 000019
【図１８】
2009066337.tif 000020
【図１９】
2009066337.tif 000021
【図２０】
2009066337.tif 000022
【図２１】
2009066337.tif 000023
【図２２】
2009066337.tif 000024
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
移動局と複数の無線基地局装置を備えた通信システムであって、
第１の無線基地局装置配下の移動局が第２の無線基地局装置配下にハンドオーバする時を契機として、該第１の無線基地局装置から、該第２の無線基地局装置のネットワークアドレスの問い合わせを受け付ける問い合わせ受け付け手段と、
該第１の無線基地局装置のネットワークアドレスと、ハンドオーバ先の候補となる該第２の無線基地局装置のネットワークアドレスとを対応付けて格納するデータベース手段と、
該問い合わせにしたがって、該データベース手段から該第２の無線基地局装置のネットワークアドレスを取得し、該第１の無線基地局装置へ送信する送信手段とを備え、
該第１の無線基地局装置が該第２の無線基地局装置との間のインタフェースを確立することを特徴とする通信システム。
【請求項２】
前記問い合わせには、前記第２の無線基地局装置の識別子が含まれることを特徴とする請求項１に記載の通信システム。
【請求項３】
前記問い合わせには、前記第２の無線基地局装置が所属するネットワークの識別子が含まれることを特徴とする請求項１に記載の通信システム。
【請求項４】
前記問い合わせには、前記第１の無線基地局装置のネットワークアドレスが含まれることを特徴とする請求項１に記載の通信システム。
【請求項５】
前記データベース手段は、前記第１の無線基地局装置のネットワークアドレスごとに、ハンドオーバ先の候補となる前記第２の無線基地局装置の識別子とネットワークアドレスを対応付けたテーブルを格納しており、異なるテーブル間では、該第２の無線基地局装置の識別子の重複を許した構成となっていることを特徴とする請求項２に記載の通信システム。
【請求項６】
前記第１の無線基地局装置が所属するネットワークと、前記第２の無線基地局装置が所属するネットワークが異なる場合、該第２の無線基地局装置が所属する通信システムに、該第２の無線基地局装置のネットワークアドレスの送信を依頼することを特徴とする請求項１に記載の通信システム。
【請求項７】
請求項１の通信システムの機能は、独立したネットワークノードとして構成されることを特徴とする通信システム。
【請求項８】
請求項１の通信システムの機能は、無線基地局装置に搭載されることを特徴とする通信システム。
【請求項９】
請求項１の通信システムの機能は、無線基地局制御装置に搭載されることを特徴とする通信システム。
【請求項１０】
請求項１の通信システムが、前記第２の無線基地局装置のネットワークアドレスを取得できない場合には、前記第１の無線基地局装置と該第２の無線基地局装置は、基地局制御装置を介して通信を行なうことを特徴とする通信システム。
【手続補正書】
【提出日】平成22年4月7日(2010.4.7)
【手続補正１】
【補正対象書類名】明細書
【補正対象項目名】００１１
【補正方法】変更
【補正の内容】
【００１１】
特許文献１は、網接続装置を介してインターネット網に接続された該無線基地局において、位置情報管理センタに対し、呼接続すべき前記移動電話機が位置する該無線基地局に接続された網接続装置のＩＰアドレスを問い合わせ、該ＩＰアドレスを有する網接続装置との間で通話回線を接続するように構成されていることを特徴とする移動電話システムについて述べたものである。
【特許文献１】特開平11-150753号公報
【非特許文献１】3GPP TR25.912、［ｏｎｌｉｎｅ］、［平成19年5月1日検索］、インターネット＜ＵＲＬ：http://www.3gpp.org/ftp/Specs/html-info/25-series.htm ＞
【非特許文献２】3GPP TS25.331、［ｏｎｌｉｎｅ］、［平成19年5月29日検索］、インターネット＜ＵＲＬ：http://www.3gpp.org/ftp/Specs/html-info/25-series.htm ＞
【非特許文献３】3GPP TR23.882、［ｏｎｌｉｎｅ］、［平成19年5月29日検索］、インターネット＜ＵＲＬ：http://www.3gpp.org/ftp/Specs/html-info/23-series.htm ＞
【非特許文献４】3GPP R3-070695、［ｏｎｌｉｎｅ］、［平成19年5月29日検索］、インターネット＜ＵＲＬ：http://www.3gpp.org/ftp/tsg_ran/WG3_Iu/TSGR3_55bis/docs/ ＞
【国際調査報告】
2009066337.tif 000025
2009066337.tif 000026
2009066337.tif 000027